(57)【特許請求の範囲】
【請求項１】
パッケージ基部ユニット（１００）及び前記パッケージ基部ユニット（１００）上に配置されるパッケージ（２００）を含む家庭用消費者製品キットであって、前記家庭用消費者製品キットは、消費者による製品（２１７）の使用間の保存に使用されるものであり、
前記パッケージ基部ユニット（１００）は、パッケージ基部ユニット（１００）の制御要素及び前記パッケージ基部ユニット（１００）の制御要素が動作可能となるように前記パッケージ基部ユニット（１００）の制御要素に接続されたパッケージインターフェース要素（１１０）を含み、
前記パッケージ（２００）はパッケージ基部インターフェース要素（２１１）及び印刷要素（２１０）を含み、前記印刷要素（２１０）は制御回路要素（２１２）及び出力回路要素（２１３、２１５、２１６）を含み、前記制御回路要素（２１２）及び前記出力回路要素（２１３、２１５、２１６）はそれぞれ、前記パッケージ基部インターフェース要素（２１１）に動作可能に接続され、前記パッケージインターフェース要素（１１０）およびパッケージ基部インターフェース要素（２１１）が動作可能に接続されており、
前記パッケージ基部ユニット（１００）の制御要素が、更に複数の制御配列を保存しており、各保存された制御配列が、前記パッケージ（２００）の前記制御回路要素（２１２）の既定値と関連付けられており、前記制御配列が、単一又は複数の出力時間系列を含み、前記単一又は複数の出力時間系列が、前記出力回路要素（２１３、２１５、２１６）に電力が供給される順番及びタイミングを決定し得るようになっており、
前記パッケージ（２００）の前記制御回路要素（２１２）の性質が、どの保存された制御配列が使用されるかを決定するために使用され得るようになっていて、前記パッケージ基部ユニット（１００）の制御要素が、前記パッケージ（２００）の前記制御回路要素（２１２）の前記既定値を解釈して前記パッケージ（２００）の前記出力回路要素（２１３、２１５、２１６）を制御し得るようになっている、家庭用消費者製品キット。
【請求項２】
前記パッケージ基部ユニット（１００）が、前記パッケージ基部ユニット（１００）のアクセス可能な表面上に配置される操作器を有するスイッチ要素（１２０）を更に含む、請求項１に記載の家庭用消費者製品キット。
【請求項３】
前記パッケージ（２００）が製品（２１７）を更に含む、請求項１に記載の家庭用消費者製品キット。
【請求項４】
前記出力回路要素が照明要素（２１３）を含む、請求項１に記載の家庭用消費者製品キット。
【請求項５】
前記パッケージ（２００）が前記照明要素（２１３）と位置合わせされるように配置されたしるし（２１４）を更に含む、請求項４に記載の家庭用消費者製品キット。
【請求項６】
前記照明要素（２１３）が印刷された電子発光要素を含む、請求項４に記載の家庭用消費者製品キット。
【請求項７】
前記出力回路要素が音声要素（２１５）を含む、請求項１に記載の家庭用消費者製品キット。
【請求項８】
前記出力回路要素が嗅覚刺激供給システム（２１６）を含む、請求項１に記載の家庭用消費者製品キット。
【請求項９】
請求項１〜８のいずれか１項に記載の前記家庭用消費者製品キットの前記パッケージ基部ユニット（１００）の制御要素により電力の出力を制御する方法であって、前記方法は、
ａ．前記パッケージ（２００）を、前記パッケージ基部ユニット（１００）上の適所に配置し、前記パッケージインターフェース要素（１１０）を前記パッケージ基部インターフェース要素（２１１）と接触させる工程と、
ｂ．入力装置を起動して前記制御要素に入力信号を提供する工程と、
ｃ．前記制御回路要素（２１２）における信号を検出する工程と、
ｄ．前記検出された信号を前記制御要素の特定の信号と比較する工程と、
ｅ．前記検出された信号が、前記特定の信号と適合する場合に、保存されたトリガ配列に従って出力部に電力を提供する工程とを含む、方法。
【請求項１０】
既定の時間経過の後に、出力のトリガを中止する工程を更に含む、請求項９に記載の方法。
【請求項１１】
前記入力装置が二度目に起動される際に、前記出力のトリガを中止する工程を更に含む、請求項９に記載の方法。
【請求項１２】
前記検出された信号が前記特定の信号に適合しない場合に、前記出力のトリガを中止する工程を更に含む、請求項９に記載の方法。
【請求項１３】
保存されたトリガ配列に従って複数の出力をトリガする工程を更に含む、請求項９に記載の方法。
【請求項１４】
計算されたランダムな持続時間の出力をトリガする工程を更に含む、請求項９に記載の方法。
【請求項１５】
前記検出された電圧に従って保存された配列を選択する工程と、前記選択された保存された配列に従って出力をトリガする工程とを更に含む、請求項９に記載の方法。
【請求項１６】
検出された電圧が特定の電圧を下回る際に、出力部への電力供給を中止する工程とを更に含む、請求項９に記載の方法。
【請求項１７】
前記検出された信号を、前記制御要素の一連の特定の信号と比較する工程を含む、請求項９に記載の方法。
【発明の詳細な説明】
【技術分野】
【０００１】
本発明は、消費者製品パッケージの分野に関連する。本発明は特に、向上した消費者製品の提示を提供するためのキットに関連する。
【背景技術】
【０００２】
消費者製品及びこれらの製品のためのパッケージは既知である。消費者と製品の相互作用、又は消費者による製品の使用の一態様は、使用間の製品の保存である。
【０００３】
いくつかの製品において、消費者の環境において、製品は広く利用可能であることが望ましい。この利用可能性は、製品パッケージが環境において連続的に可視であることを必要とし得る。環境において可視であるパッケージは、環境における装飾を増加又は向上させる外観又は機能性を有することにより利益を有し得る。
【発明の概要】
【発明が解決しようとする課題】
【０００４】
消費者がこれらの装飾を増加させるのを可能にする、消費者製品を提供するためのキットを有することが望ましい。
【課題を解決するための手段】
【０００５】
一態様において、製品システムはパッケージ基部ユニット及びパッケージを含む。パッケージ基部ユニットは、制御要素及び制御要素に動作可能に接続されたパッケージインターフェースを含む。パッケージはパッケージ基部インターフェース及び印刷要素を含む。印刷要素は制御回路要素及び出力回路要素を含む。制御回路要素及び出力回路要素はそれぞれ、パッケージ基部インターフェースに動作可能に接続される。
【０００６】
別の態様は、消費者製品パッケージのための、制御要素の出力配列を制御する方法である。パッケージは、パッケージ基部ユニット上の適所に配置され、パッケージインターフェースをパッケージ基部インターフェースと接触させる。入力装置は起動されて制御信号に入力信号を提供する。回路内の信号が検出される。検出された信号は特定の信号と比較され、保存されたトリガ配列に従って出力部に電力が提供される。
【図面の簡単な説明】
【０００７】
【図１】パッケージ及びパッケージ基部ユニットの分解された概略の斜視図。
【発明を実施するための形態】
【０００８】
製品システムは、パッケージ基部ユニット及びパッケージを含む。パッケージ基部ユニットは、制御要素及び制御要素と動作可能に接続されたパッケージインターフェースを含む。パッケージ基部ユニットは、ポリマー材料、金属、木材又はガラスから構成され得る。パッケージ基部ユニットは、キャスティング、射出成型、吹込み成形、機械加工、ないしは選択される材料によって当業者により既知の方法を使用して製作され得る。
【０００９】
制御要素は集積回路を含む。集積回路は、信号検出回路及び制御論理を含み得る。制御論理は、一連の制御配列及びインターロック回路を含み得る。一連の制御配列はそれぞれ、解釈される入力信号のための特定の値と関連付けられ得る。複数の対応する制御配列は、パッケージインターフェースを介して１つ以上の出力回路に電力を提供するための基礎として使用され得る。インターロック回路は、システムの安全性を向上させるために使用され得る。インターロックは、適切な出力パッケージ要素の存在及び適切な供給電圧の存在を確認するために使用され得る。代表的な集積回路は、Ｉｒｖｉｎｇ，ＴＸのＮＥＣ  Ｃｏｒｐ．から利用可能なモデルｕＰＤ７８Ｆ９２０１チップである。
【００１０】
パッケージインターフェースは、特定の構成において配置される一連の導電性接触子を含む。各接触子の少なくとも一部が、パッケージ基部ユニットのアクセス可能な表面上に露出される。表面は露出して直接アクセス可能であってもよく、又は表面は保護カバーが取り外された後にアクセス可能であってもよい。カバーは消費者により手で取り外されてもよく、又はパッケージがパッケージ基部ユニット上に配置される際に自動的に動かされてもよい。接触子は任意の導電性材料からなってもよく、又は導電性コーティングを含む複合構成を有してもよい。接触子は、制御要素集積回路のピンに又は電源などの他の回路要素に動作可能に接続され得る。接触子の１つが、多くの別個の回路の共通の接地点として機能し得る。
【００１１】
パッケージ基部ユニットは、携帯可能なエネルギー貯蔵要素、例えば、電池、光起電力要素、若しくは線間電圧と相互作用するための接続部、例えば、一般的な家庭用コンセント、又はこれらの電源の組み合わせを含み得る。電源は、パッケージ基部ユニットの様々な回路要素に制御及び出力電力を提供するために使用され得る。パッケージ基部ユニットは、再充電可能な電池及び充電要素の組み合わせを含み得る。充電要素は、充電回路に動作可能に接続され、最終的に再充電可能な電池に電力を提供する手動発電機、又は再充電可能な電池を線間電圧と相互作用させるための変圧器、電圧調節器及び充電回路を含み得る。パッケージ基部ユニットと線間電圧との間の接続部はまた、基部ユニット搭載要素として機能し得る。一実施形態において、パッケージ基部ユニットは、線間電圧コネクタを介してコンセントに差し込まれることによって壁部又は他の表面に取り付けられ得る。
【００１２】
パッケージ基部ユニットは、パッケージ基部ユニットの水平及び／又は垂直表面への取り付けを促進するように適合された、１つ以上の搭載要素を含み得る。
【００１３】
パッケージ基部ユニットはまた、追加的な電力変換又は調節回路及び回路要素を含み得る。パッケージ基部ユニットは、異なる規模及び種類を有する制御電圧及び出力電圧を提供するため、供給された電圧を二次電圧に変換するための変圧器を使用してもよい。非限定的な例として、変圧器は、供給された交流電圧を直流電圧に又は供給された直流電圧を交流電圧に変換するために使用され得る。
【００１４】
パッケージ基部ユニット又はパッケージは、更にスイッチ要素を含み得る。スイッチは、制御要素の入力に動作可能に接続されてもよく、かつ複数の出力配列又は他の複数の制御配列を開始するために使用されてもよい。スイッチは、高周波、赤外線又は他の電磁遠隔制御システムを使用して遠隔により起動されてもよい。スイッチは、パッケージ基部ユニットのアクセス可能な表面上に少なくとも部分的に配置されたスイッチ操作器に機械的に連結されてもよい。表面は露出して直接アクセス可能であってもよく又は表面は保護カバーが取り外された後にアクセス可能であってもよい。カバーは消費者により手で取り外されてもよく、又はパッケージがパッケージ基部ユニット上に配置される際に自動的に動かされてもよい。スイッチは、センサーに論理的に連結されてもよい。代表的なセンサーとしては、限定されることなく、運動センサー、光センサー、超音波センサー、振動センサー、加速センサー及び音センサーが挙げられる。
【００１５】
スイッチ操作器は、パッケージ基部ユニットの回路要素のいずれか１つの状態の指標を提供する照明要素を含み得る。照明要素は、パッケージ−パッケージ基部の組み合わせの特定の構成要素に電力が供給されていることの指標を提供し得る。あるいは、照明要素は、スイッチ操作器とは別個にパッケージ基部ユニットの上又は内部に配置され得る。この別の実施形態において、照明要素は上記と同じ機能を果たし得る。
【００１６】
一実施形態において、パッケージ基部ユニットは、複数のパッケージインターフェース要素を含み得る。パッケージは消費者製品を含んでもよく、かつ小売販売又は他の商業的表示設定のために提供され得る。複数のパッケージの出力要素の同時的活性化を提供するパッケージ基部が提供され得る。このような基部は、単一の制御要素又は複数の制御要素を有し得る。基部は、表示ケースとして、多数のパッケージのための輸送パレットの一部として、棚若しくは他の壁に取り付ける表示として、又は他の既知のパッケージ表示形態で提供され得る。スイッチは、複数のパッケージインターフェース要素に隣接するように配置された複数のパッケージと関連付けられている出力要素を起動するように構成され得る。基部は、各特定のパッケージインターフェース要素又は代替的にパッケージインターフェース要素のいずれかに電力を提供する前に、各パッケージインターフェース要素と関連付けられている適切なパッケージ制御回路要素の存在を検出し得る。
【００１７】
パッケージはパッケージ基部インターフェース及び印刷要素を含む。パッケージ基部インターフェースは、パッケージの外面上に、あるパターンで構成される一連の導電性接触子を含む。このパターンは、パッケージインターフェースの接触子のパターンと対応する。パッケージ基部インターフェース及びパッケージインターフェース接触子は、パッケージがパッケージ基部ユニット上の適所に配置される際に、接触する向かい合わせの関係で配置される。
【００１８】
パッケージ基部ユニットは、パッケージの配置のための位置を画定するパッケージウェルを含み得る。パッケージインターフェースは、パッケージウェルの１つ以上の表面に組み込まれ得る。パッケージウェル内のパッケージの配置は、各パッケージとパッケージ基部ユニットインターフェース接触子との間の向かい合わせの接触を提供し得る。パッケージインターフェースの導電性接触子は、パッケージをパッケージウェル内に配置することによって、接触子が適所に移動し得るように、ばね仕掛けであってもよい。この接触子のばね仕掛けは、パッケージの配置後にパッケージに圧縮力を適用し得る。このような圧縮力は、パッケージに適用される他の力に対抗して、パッケージウェル内にパッケージを保持する利益を提供し得る。
【００１９】
パッケージは更に、分配されるべき製品を含み得る。製品は、製品の分配に関する、包装分野において既知のいずれかの方法で分配され得る。本発明を制限することなく、製品はエアゾールシステム、ポンプシステム（手動又は電動のいずれか）、手で、スコップ若しくは他の手段を使用して又は重力によって分配され得る。パッケージは、外部トリガに従って又は間隔計時機構を使用することによって、自動的に製品を分配し得る。シート製品は、交互配置されない製品シートの積み重ね体から、１枚以上のシートを単純に取り出すことによって分配され得る。シートはまた、第１シートが第２シートを次の取り出しのためにより良い位置へと動かす、交互配置積み重ね体で提示されてもよい。製品は、パッケージがパッケージ基部上に配置されている時及び／又は配置されていない時の両方において、パッケージから分配され得る。
【００２０】
パッケージはカバー部分又は保護オーバーラップを更に含み得る。カバー部分は、ヒンジ式であるか又は消費者が製品にアクセスすることを可能にするよう完全に取り除かれように設計されてもよい。オーバーラップは、パッケージ及び／又は製品を、製造時から実際の消費及び使用時まで保護するために提供され得る。
【００２１】
パッケージは、当該技術分野において既知のいずれかの包装材料から構成され得る。代表的な材料としては、本発明を制限することなく、ポリマー材料、紙製品、金属成分、ガラス及び木材成分が挙げられる。パッケージは、立たせたパッケージ半加工品から形成されるか、射出成型されるか、吹込み成形されるか、機械加工されるか、又は当該技術分野において既知の別の方法により形成され得る。
【００２２】
パッケージは、パッケージ表面の保護のため及び／又は不正開封若しくは不正変更防止を提供するためにオーバーラップを含み得る。オーバーラップは、パッケージ基部インターフェースが、パッケージインターフェースに隣接するように配置され、それによって動作可能状態のシステムを提供し得るように構成され得る。
【００２３】
一実施形態において、パッケージは、製品を保持及び提供するために使用され得る、再使用可能なスキン又はシェルを含み得る。製品は、パッケージと共に提供されてもよく、最初に提供される製品が消費された後に、パッケージで使用するために再充填要素が提供され得る。
【００２４】
パッケージの印刷要素は制御回路要素及び出力回路要素を含む。制御回路要素及び出力回路要素はそれぞれ、パッケージ基部インターフェースに動作可能に接続される。制御回路要素は、単一の回路要素又は印刷回路要素の組み合わせを含み得る。要素は、抵抗器、コンデンサ、インダクタ、ダイオード又は他の印刷された電子構成要素を含み得る。
【００２５】
出力回路要素は、１つ以上の別個の出力回路部分を含み得る。各出力回路部分は、電子発光要素、発光ダイオード要素又は他の当該技術分野において既知の印刷要素などの出力要素を含み得る。印刷要素はまた、音声要素又は香り付きの液体若しくは他の嗅覚を刺激する物質を分配するように適合された圧電ドライバなどの装置と相互作用し得る。一実施形態において、印刷要素は、Ｎｔｈ  Ｄｅｇｒｅｅ  Ｔｅｃｈｎｏｌｏｇｉｅｓ  Ｗｏｒｌｄｗｉｄｅ（Ｔｅｍｐｅ，ＡＺ）から入手可能な印刷照明要素を含み得る。
【００２６】
印刷要素は、出力要素と位置合わせされるように配置された、しるしを更に含み得る。一実施形態において、印刷された絵が、冬をテーマにした風景を含む。風景は、雪片、雪だるま及び装飾された木を含む。雪片及び木の装飾は、電子発光出力要素と位置合わせされるように配置される。この実施形態において、印刷要素の出力チャネルに電力が供給される際に、装飾要素が点灯する。しるしは、印刷されるか、エンボス加工されるか、型押しされるか、ないしは別の方法で印刷要素に付与され得る。しるしは、月、年、数字又は他の原則によってシリアル化され得る。
【００２７】
印刷要素は、他の点においては完成されたパッケージに適用され得る。あるいは、印刷要素はパッケージの一体部分を形成してもよく、パッケージの壁部から分離不可能であってもよい。
【００２８】
パッケージは、印刷要素に加えて、絵及び／又はしるしを含んでもよい。
【００２９】
一実施形態において、パッケージ印刷要素は印刷されたラベルを含む。ラベルは積層構造を含み得る。制御回路要素及び出力要素が基層上に印刷され得る。第２層が基層に積層されてもよく、絵及び／又は他のしるしが第２層の外側表面に付与される。ラベルは保護積層コーティング又は保護オーバーコーティング、例えば保護ニスを含み得る。ラベルは、ラベルをパッケージに取り付けるための接着剤コーティングを含み得る。ラベルは、熱可塑性コーティングを含んでもよく、これは熱活性化プロセスを介してラベルをパッケージに取り付けるために使用され得る。ラベルは、他の接着性若しくは貼着性システムを使用してパッケージに取り付けられてもよく、又はパッケージの要素を熱活性化し、それによってラベルを熱活性化された要素に接着可能にすることによって取り付けられてもよい。ラベルは、フレームなどのパッケージのラベル保持要素に挿入されてもよい。ラベルは、タブの連結システムを使用して、フック・ループ式ファスナーを使用して適所に固定されるか、ないしは別の方法でパッケージに機械的に取り付けられ得る。
【００３０】
一実施形態において、ラベルは、パッケージに取り外し可能に取り付けられてもよい。取り外し可能接着性システム又は機械的なラベル保持要素は、ラベルの取り外しを可能にするように使用され得る。この実施形態において、ラベルがパッケージから取り外された際に、ラベルの出力要素を活性化するために、補助基部ユニットが提供され得る。補助基部は、パッケージウェルを除き、上記のパッケージ基部の要素の組み合わせのいずれかを含む。補助基部の構成は、補助基部ユニットのパッケージインターフェース要素に隣接するラベルのパッケージ基部インターフェースを配置するための、ラベルウェル又は他の要素を含む。補助基部ユニットは、パッケージを全体として保有ことを必要とせずに、ラベルの機能の連続的な使用及び観賞のための手段を提供する。この実施形態において、消費者は、もとのパッケージに提供されたいずれかの製品が消費された後に、パッケージの全部分を保有する必要なく、ラベルを保有し、装飾的及び他の機能を使用し続けることができる。
【００３１】
補助基部ユニットは、単一のパッケージインターフェース要素又は複数のパッケージインターフェースユニットを含み得る。複数のパッケージインターフェースユニットを含む補助基部ユニットは、複数のインターフェースユニットの制御のための単一のスイッチ、又は各インターフェースユニットの個別の制御のための複数のスイッチ、若しくはインターフェースユニットのグループの制御のための複数のスイッチを含んでもよい。
【００３２】
一実施形態において、印刷要素は、パッケージの一体部分を形成する。この実施形態において、印刷要素はパッケージの表面上に直接印刷されるか、又はラベルとして供給され、インモールドラベリングシステムを使用して、吹込み成形、射出成型又は回転成形されたパッケージ上に配置され得る。
【００３３】
パッケージインターフェース接触子及びパッケージ基部インターフェース接触子の並置が制御回路を形成し、また出力回路要素を含む他の回路を形成し得る。回路は、パッケージの印刷部分の要素をパッケージ基部ユニットの回路部分に追加することによって形成される。
【００３４】
一実施形態において、パッケージ基部インターフェース及びパッケージインターフェースは、規則的に離間した線形パターンに配置される、対応する６つの導電性要素のセットを含む。この実施形態において、２つの導電性要素が、制御回路要素に関係し、互いに隣接するように配置される。１つの接地接触子及び３つの接触子、各１つ又は３つの別個の出力回路が残りの４つの接触子を含む。３つの出力回路接触子は互い隣接してもよい。接地接触子が出力回路接触子と隣接してもよく、又はこれは制御回路の接触子によって、出力回路接触子から離間していてもよい。導電性接触要素の特定の数及び構成が、本発明を制限することはない。
【００３５】
パッケージ基部の制御要素が、記憶要素を含み得る。記憶要素は、単一又は複数の保存された出力時間系列を含み得る。複数の保存された時系列は、各出力回路に電力が供給される順番及びタイミングを決定し得る。複数の保存された時系列は、電力の入出力のタイミングの絶対的な時系列を含み得る。保存された時系列はまた、選択された又はランダムなチャネル順序によるランダムな電力の提供を提供するために、制御要素の乱数生成能力を使用してもよい。
【００３６】
パッケージの制御回路要素の性質は、どの保存された制御配列が使用されるかを決定するために使用され得る。制御回路に電力が提供されてもよく、回路に電力を供給することによって得られる信号が検出され得る。検出された信号の性質は、パッケージの制御要素の性質及び値を決定するために使用され得る。決定された性質及び値は、関連付けられている保存された制御配列を選択するために使用され得る。
【００３７】
例として、パッケージの制御要素は印刷抵抗器を含み得る。既知の電圧が抵抗器に適用されてもよく、抵抗器において生じる電圧低下が決定され得る。供給電圧に対する検出された電圧低下の値によって、特定の、複数の保存された制御配列がその後、選択され得る。検出された電圧低下の値が、印刷抵抗器の値に従って低下する。異なる印刷抵抗器の値が、異なる電圧低下を生じ、複数の制御配列が特定の抵抗器の値と関連付けられるのを可能にする。適用された電圧は、例えば、電池を使用して装置に電力を供給する際に変化し得る。検出された電圧は、電圧低下と関連し得る。検出された電圧はまた、印刷抵抗器の実際の値の変化を可能にするように、値の範囲と比較され得る。例として、特定の保存された配列は、適用された電圧の５０％±１０％の電圧低下と関連付けられ得る。
【００３８】
消費者によるキットの使用は、パッケージ基部に電源を提供する工程と、パッケージをパッケージ基部ユニット上に配置する工程とを含み得る。電源は、パッケージ基部ユニット内の電気保存セルを充電するために、基部内に配置される電池であってもよく、又は基部の線間電圧への接続であってもよく、又は手動クレーン発生器であってもよい。一実施形態において、パッケージはパッケージ基部ユニットのパッケージウェル内に配置されてもよい。パッケージのこの配置は、ひいてはパッケージインターフェース及びパッケージ基部インターフェースを並置する。消費者はパッケージ基部のスイッチ要素を起動してもよい。この起動は、アクセス可能なスイッチ操作器を押すことにより、又は遠隔制御装置の使用により、又はスイッチに連結されるセンサーをトリガすることにより達成され得る。スイッチの起動が、パッケージの制御要素を含む制御回路における信号を生成するための電力の適用をトリガする。印加される信号は、特定の制御要素の性質によって変更されてもよく、変更された信号は、パッケージ基部ユニットの制御要素によって検出され得る。検出された変更された信号は、既定の値と比較されて、一連の保存された出力配列から選択を行うために使用され得る複数の選択された出力配列は、一連の出力回路への電力の適用の順序及びタイミングを制御するために使用され得る。適用される信号は持続時間が短く、及びまた低電圧及び／又は低電流量であり得る。適用される信号は、適切なパッケージの存在を試験するために使用され得る。
【００３９】
検出された信号の、複数の保存された制御配列と関連付けられる、いずれかの既定値との不一致は、出力回路接触子への電力の適用を防ぐために使用され得る。この方法において、適切な制御回路要素を有さないパッケージの配置は、パッケージインターフェースの出力回路接触子への電力の適用を生じない。同様に、適用される信号の進行中の適用が、変更された信号の検出と共に使用され、パッケージがパッケージ基部ユニットから取り外された際に、パッケージインターフェースの出力接触子への電力の適用を終了してもよい。
【００４０】
パッケージ基部ユニットは、適切な初期条件が満たされる限りにおいて、特定の時間の後に、電力を提供するように構成され得る。パッケージ基部ユニットは、出力接触子に電力が提供されている間に、スイッチが二度目に起動されると、電力の提供を中止するように構成され得る。パッケージ基部ユニットは、基部ユニットの供給電力が既定の閾値電力レベルを下回ると、出力接触子への電力の供給を中止するように構成され得る。
【００４１】
パッケージ基部ユニットの制御要素は、接地接触子及び単一の出力接触子をパッケージインターフェース内に含む、単一の出力チャネルに出力電力を提供してもよく、又は電力は多数の出力チャネルに提供されてもよい。多数のチャネルは、共通の接地接触子を共有してもよく、かつそれぞれが別個の出力接触子を含んでもよい。
【００４２】
一実施形態において、キットはパッケージ基部ユニット及び単一のパッケージを含んでもよい。別の実施形態において、キットは、パッケージ基部ユニット及び複数のパッケージを含んでもよい。複数のパッケージはそれぞれ、パッケージ上に同じしるしを有する同様の印刷要素を含み得る。これらのパッケージはそれぞれ、パッケージがパッケージ基部ユニットと共に使用される際に、同じ反応を提供し得る。あるいは、複数のパッケージが実質的に異なる印刷要素を備えてもよい。印刷要素は印刷制御要素、しるし、出力要素の配置、出力チャネルの数、及びこれらの組み合わせにおいて異なり得る。複数のパッケージは、実質的に同様の製品を含む場合があり、又は複数のパッケージが多数の製品を含み得る。キットは任意により、供給された製品が使い切られた後に、印刷要素を利用するための補助基部を含み得る。補助基部ユニットはまた、別個の物品として提供され得る。
【００４３】
上記の異なる印刷要素を含むパッケージはまた、個別の品目として、又は様々な組み合わせにおいて、消費者に提供され得る。パッケージの印刷要素は、それぞれ異なるパッケージの使用と共に、異なる消費者経験をもたらすために異なってもよい。パッケージの差異は、特別なイベント又は装飾の季節ごとの変化に関連してもよい。
【実施例】
【００４４】
図に示されるように、製品システム１０００は、パッケージ基部ユニット１００及びパッケージ２００を含む。パッケージ基部ユニット１００は、制御要素（図示されない）、パッケージインターフェース要素１１０及びスイッチ要素１２０を含む。パッケージ２００は印刷要素２１０を含む。印刷要素はパッケージ基部インターフェース要素２１１、制御回路要素２１２及び複数の出力回路要素を含む。出力回路要素２１３は照明要素を含み、しるし２１４と位置合わせされるように配置される。出力回路要素２１５は音声要素を含み、出力回路要素２１６は嗅覚刺激供給システムを含む。製品システムはまた、パッケージ２００の頂部から取り除くようにして利用可能なシート型製品２１７を含む。
【００４５】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【００４６】
相互参照される又は関連するあらゆる特許又は出願書類を含め、本明細書において引用される全ての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。更に、本書における用語のいずれかの意味又は定義が、参考として組み込まれた文献における同一の用語のいずれかの意味又は定義と相反する限りにおいて、本書においてその用語に与えられた定義又は意味が適用されるものとする。
【００４７】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのような全ての変更及び修正を、添付の「特許請求の範囲」で扱うものとする。
【図１】
0006219567.tif 000002